(57)【要約】【課題】画面サイズが限定された携帯端末装置において、表示部画面上の機能に限定されず、さらに多くの機能を簡易に増やす。【解決手段】表示部１１の枠部に表示された枠機能印１８と、表示部１１上に表示される画面機能印、前記枠機能印１８のそれぞれに対応する表示部１１上の画面機能印エリア、枠機能印エリアを記憶する機能・対応座標記憶部１５と、表示部１１におけるポインタの位置を操作し確定キーにより位置を確定するポインティングデバイス１３と、ポインタが画面機能印エリアに存在し確定キーが押された場合は、機能・対応座標記憶部１５を検索し画面機能印エリアに対応する機能を識別して起動する手段と、ポインタが枠機能印エリアに存在し確定キーが一定時間内に押されなかった場合は、機能・対応座標記憶部１５を検索し枠機能印エリアに対応する機能を識別して起動する手段とを備えた制御部１７とを有する。【選択図】      図２
2004199270.tif 000002
【特許請求の範囲】
【請求項１】
表示部の周囲を取り巻く筐体部分である枠部に機能選択のために表示された枠機能印と、
前記表示部の画面上に機能選択のために表示される画面機能印および前記枠機能印のそれぞれに対応する前記表示部上の画面機能印エリアおよび枠機能印エリアを記憶する機能・対応座標記憶部と、
前記表示部におけるポインタの位置を操作し、確定キーにより位置を確定するポインティングデバイスと、
前記ポインタが前記画面機能印エリアに存在し、前記確定キーが押下された場合は、前記機能・対応座標記憶部を検索することにより前記画面機能印エリアに対応する機能を識別して該当機能を起動する手段と、前記ポインタが前記枠機能印エリアに存在し、前記確定キーが一定時間内に押下されなかった場合は、前記機能・対応座標記憶部を検索することにより前記枠機能印エリアに対応する機能を識別して該当機能を起動する手段とを備えた制御部とを有することを特徴とする携帯端末装置。
【請求項２】
前記制御部は、前記枠機能印エリアに対応する機能を起動した後、所定時間内に前記確定キーが押下された場合に前記ポインタの存在する位置を検出し、前記ポインタが前記枠機能印エリアの外で、かつ、起動された機能画面上の選択処理エリアでもない無効エリアに存在していた場合に、起動された前記機能を終了する手段をさらに有することを特徴とする請求項１記載の携帯端末装置。
【請求項３】
表示部の周囲を取り巻く筐体部分である枠部に機能選択のために表示された枠機能印と、
前記表示部の画面上に機能選択のために表示される画面機能印および前記枠機能印のそれぞれに対応する前記表示部上の画面機能印エリアおよび枠機能印エリアを記憶する機能・対応座標記憶部と、
前記表示部におけるポインタの位置を操作し、確定キーにより位置を確定するポインティングデバイスと、
前記確定キーが押下されたときに、前記ポインタが前記画面機能印エリアに存在した場合は、前記機能・対応座標記憶部を検索することにより前記画面機能印エリアに対応する機能を識別して該当機能を起動する手段と、前記確定キーと他の特定キーが同時に押下されたときに、前記ポインタが前記枠機能印エリアに存在した場合は、前記機能・対応座標記憶部を検索することにより前記枠機能印エリアに対応する機能を識別して該当機能を起動する手段とを備えた制御部とを有することを特徴とする携帯端末装置。
【請求項４】
表示部の周囲を取り巻く筐体部分である枠部に機能選択のために表示された枠機能印と、
前記表示部の画面上に機能選択のために表示される画面機能印および前記枠機能印のそれぞれに対応する前記表示部上の画面機能印エリアおよび枠機能印エリアを記憶する機能・対応座標記憶部と、
前記表示部におけるポインタの位置を操作し、確定キーにより位置を確定するポインティングデバイスと、
前記確定キーがクリックされたときに、前記ポインタが前記画面機能印エリアに存在した場合は、前記機能・対応座標記憶部を検索することにより前記画面機能印エリアに対応する機能を識別して該当機能を起動する手段と、前記確定キーがダブルクリックされたときに、前記ポインタが前記枠機能印エリアに存在した場合は、前記機能・対応座標記憶部を検索することにより前記枠機能印エリアに対応する機能を識別して該当機能を起動する手段とを備えた制御部とを有することを特徴とする携帯端末装置。
【請求項５】
前記枠機能印の数は複数個であり、対応する枠機能印エリアはそれぞれ異なることを特徴とする請求項１，２，３，または４記載の携帯端末装置。
【請求項６】
前記枠機能印は、絵，文字または数字により表示されることを特徴とする請求項１〜５のいずれか１項記載の携帯端末装置。
【請求項７】
表示部の周囲を取り巻く筐体部分である枠部に備えられたＬＥＤと、
前記ＬＥＤ対応に前記表示部上の予め定められた枠機能印エリアを記憶する機能・対応座標記憶部と、
前記表示部におけるポインタの位置を操作するポインティングデバイスと、
ネットワークを介した相手装置から受信したメッセージを格納するメッセージ格納部と、
前記ネットワークを介した相手装置からのメッセージを受信することにより前記ＬＥＤを点灯させる手段と、前記ポインタが前記ＬＥＤの枠機能印エリアに存在し、かつ、前記ＬＥＤが点灯中であった場合に、前記メッセージ格納部に格納されたメッセージを前記表示部に表示させる手段とを備えた制御部とを有することを特徴とする携帯端末装置。
【請求項８】
表示部画面上に表示される画面機能印の他に、前記表示部の周囲を取り巻く筐体部分である枠部に表示した枠機能印を備え、前記画面機能印および前記枠機能印のそれぞれに対応する前記表示部上のエリアを記憶部に記憶している携帯端末装置における機能起動プログラムであって、
確定キーが押下されたかを識別し、押下された場合はポインタの位置を検出する処理、前記ポインタが前記画面機能印に対応したエリアにあるかを前記記憶部を検索して判別する処理、対応したエリアにあった場合に前記画面機能印に対応した機能を起動する処理、定期的に前記ポインタの位置を検出し、前記ポインタが前記枠機能印に対応したエリアにあるかを、前記記憶部を検索して判断する処理、対応したエリアにあった場合に、一定時間内に前記確定キーが押下されたかを判別する処理、一定時間内に前記確定キーが押下されなかった場合に前記枠機能印に対応する機能を起動する処理、をコンピュータに実行させるための機能起動プログラム。
【請求項９】
表示部画面上に表示される画面機能印の他に、前記表示部の周囲を取り巻く筐体部分である枠部に表示した枠機能印を備え、前記画面機能印および前記枠機能印のそれぞれに対応する前記表示部上のエリアを記憶部に記憶している携帯端末装置における機能起動プログラムであって、
確定キーが押されたかを識別する処理、前記確定キーのみが押下された場合にポインタの位置を検出する処理、前記ポインタが前記画面機能印に対応したエリアにあるかを前記記憶部を検索して判別する処理、対応したエリアにあった場合に前記画面機能印に対応した機能を起動する処理、前記確定キーと他の特定キーとが同時に押下された場合にポインタの位置を検出する処理、前記ポインタが前記枠機能印に対応したエリアにあるかを前記記憶部を検索して判別する処理、対応したエリアにあった場合に前記枠機能印に対応した機能を起動する処理、をコンピュータに実行させるための機能起動プログラム。
【請求項１０】
表示部画面上に表示される画面機能印の他に、前記表示部の周囲を取り巻く筐体部分である枠部に表示した枠機能印を備え、前記画面機能印および前記枠機能印のそれぞれに対応する前記表示部上のエリアを記憶部に記憶している携帯端末装置における機能起動プログラムであって、
確定キーが押されたかを識別する処理、前記確定キーがクリックされた場合にポインタの位置を検出する処理、前記ポインタが前記画面機能印に対応したエリアにあるかを前記記憶部を検索して判別する処理、対応したエリアにあった場合に前記画面機能印に対応した機能を起動する処理、前記確定キーがダブルクリックされた場合にポインタの位置を検出する処理、前記ポインタが前記枠機能印に対応したエリアにあるかを前記記憶部を検索して判別する処理、対応したエリアにあった場合に前記枠機能印に対応した機能を起動する処理、をコンピュータに実行させるための機能起動プログラム。
【請求項１１】
表示部の周囲を取り巻く筐体部分である枠部にＬＥＤを備え、前記ＬＥＤ対応に前記表示部上の予め定められた枠機能印エリアを記憶部に記憶している携帯端末装置における機能起動プログラムであって、
ネットワークを介した相手装置から受信したメッセージをメッセージ格納部に格納する処理、前記メッセージを受信することにより前記ＬＥＤを点灯させる処理、ポインタが前記ＬＥＤの枠機能印エリアに存在し、かつ、前記ＬＥＤが点灯中であった場合に、前記メッセージ格納部に格納されたメッセージを前記表示部に表示させる処理、をコンピュータに実行させるための機能起動プログラム。
【発明の詳細な説明】
【０００１】
【発明の属する技術分野】
本発明は、携帯電話機，ＰＨＳ（Ｐersonal Ｈandyphone Ｓystem），ＰＤＡ（Ｐersonal Ｄigital Ａssistance）等の携帯端末装置および機能起動プログラムに関し、特に携帯端末装置に備えられたポインティングデバイスのポインタ操作により機能を選択，起動する携帯端末装置および機能起動プログラムに関する。
【０００２】
【従来の技術】
従来、携帯電話機等の携帯端末装置において付加機能を選択，起動する場合、機能名称を登録したテーブルを備え、機能キー押下により機能選択モードに移行して一つの機能名称を表示し、その後スクロールにより表示する機能名称を順次ずらしていき、確定キーが押下された場合に表示されている機能を選択して実行するものがあった。しかし、機能の数が多くなると、目的の機能を表示させるためにスクロール操作を何度も繰り返さなければならず、操作が煩わしいという問題があった。
【０００３】
この問題を解決するために、機能の内容を的確に表すアイコンの表示データを備え、機能選択実行時には、表示部に機能に対応したアイコンを表示して、カーソルによって選択されたアイコンの機能を実行するようにし、限られたスペースに多くの機能を分かりやすく表示して、選択し易くする技術が考えられている。また、アイコンの一つが選択されたときに該当アイコンの機能を表現する文字列を表示するようにすることで、アイコンに不慣れな利用者でも文字のガイダンスによって機能の選択が可能になり、使い勝手を向上させている（例えば、特許文献１参照。）。
【０００４】
【特許文献１】
特開２０００−３４９８８８号公報（段落[００１０]、[００１３]、図３）
【０００５】
【発明が解決しようとする課題】
しかし、上述した特許文献１に記載の発明においては、携帯電話装置の表示部にアイコンを表示させて選択するようにはしているが、携帯電話装置の表示部はパーソナルコンピュータ等と比べると非常に小さい画面サイズであるため、やはり機能の数がかなり限定されてしまうことは否めない。
【０００６】
本発明は、表示部に限定されず、機能の数をさらに増やすことが可能な携帯端末装置および機能起動プログラムを提供することを目的としている。
【０００７】
【課題を解決するための手段】
本発明の第１の携帯端末装置は、表示部の周囲を取り巻く筐体部分である枠部に機能選択のために表示された枠機能印と、
前記表示部の画面上に機能選択のために表示される画面機能印および前記枠機能印のそれぞれに対応する前記表示部上の画面機能印エリアおよび枠機能印エリアを記憶する機能・対応座標記憶部と、
前記表示部におけるポインタの位置を操作し、確定キーにより位置を確定するポインティングデバイスと、
前記ポインタが前記画面機能印エリアに存在し、前記確定キーが押下された場合は、前記機能・対応座標記憶部を検索することにより前記画面機能印エリアに対応する機能を識別して該当機能を起動する手段と、前記ポインタが前記枠機能印エリアに存在し、前記確定キーが一定時間内に押下されなかった場合は、前記機能・対応座標記憶部を検索することにより前記枠機能印エリアに対応する機能を識別して該当機能を起動する手段とを備えた制御部とを有する。
【０００８】
本発明の第２の携帯端末装置は、本発明の第１の携帯端末装置において、前記制御部は、前記枠機能印エリアに対応する機能を起動した後、所定時間内に前記確定キーが押下された場合に前記ポインタの存在する位置を検出し、前記ポインタが前記枠機能印エリアの外で、かつ、起動された機能画面上の選択処理エリアでもない無効エリアに存在していた場合に、起動された前記機能を終了する手段をさらに有する。
【０００９】
本発明の第３の携帯端末装置は、表示部の周囲を取り巻く筐体部分である枠部に機能選択のために表示された枠機能印と、
前記表示部の画面上に機能選択のために表示される画面機能印および前記枠機能印のそれぞれに対応する前記表示部上の画面機能印エリアおよび枠機能印エリアを記憶する機能・対応座標記憶部と、
前記表示部におけるポインタの位置を操作し、確定キーにより位置を確定するポインティングデバイスと、
前記確定キーが押下されたときに、前記ポインタが前記画面機能印エリアに存在した場合は、前記機能・対応座標記憶部を検索することにより前記画面機能印エリアに対応する機能を識別して該当機能を起動する手段と、前記確定キーと他の特定キーが同時に押下されたときに、前記ポインタが前記枠機能印エリアに存在した場合は、前記機能・対応座標記憶部を検索することにより前記枠機能印エリアに対応する機能を識別して該当機能を起動する手段とを備えた制御部とを有する。
【００１０】
本発明の第４の携帯端末装置は、表示部の周囲を取り巻く筐体部分である枠部に機能選択のために表示された枠機能印と、
前記表示部の画面上に機能選択のために表示される画面機能印および前記枠機能印のそれぞれに対応する前記表示部上の画面機能印エリアおよび枠機能印エリアを記憶する機能・対応座標記憶部と、
前記表示部におけるポインタの位置を操作し、確定キーにより位置を確定するポインティングデバイスと、
前記確定キーがクリックされたときに、前記ポインタが前記画面機能印エリアに存在した場合は、前記機能・対応座標記憶部を検索することにより前記画面機能印エリアに対応する機能を識別して該当機能を起動する手段と、前記確定キーがダブルクリックされたときに、前記ポインタが前記枠機能印エリアに存在した場合は、前記機能・対応座標記憶部を検索することにより前記枠機能印エリアに対応する機能を識別して該当機能を起動する手段とを備えた制御部とを有する。
【００１１】
本発明の第５の携帯端末装置は、本発明の第１，第２，第３または第４の携帯端末装置において、前記枠機能印の数は複数個であり、対応する枠機能印エリアはそれぞれ異なることを特徴とする。
【００１２】
本発明の第６の携帯端末装置は、本発明の第１〜第５のいずれかの携帯端末装置において、前記枠機能印は、絵，文字または数字により表示されることを特徴とする。
【００１３】
本発明の第７の携帯端末装置は、表示部の周囲を取り巻く筐体部分である枠部に備えられたＬＥＤと、
前記ＬＥＤ対応に前記表示部上の予め定められた枠機能印エリアを記憶する機能・対応座標記憶部と、
前記表示部におけるポインタの位置を操作するポインティングデバイスと、
ネットワークを介した相手装置から受信したメッセージを格納するメッセージ格納部と、
前記ネットワークを介した相手装置からのメッセージを受信することにより前記ＬＥＤを点灯させる手段と、前記ポインタが前記ＬＥＤの枠機能印エリアに存在し、かつ、前記ＬＥＤが点灯中であった場合に、前記メッセージ格納部に格納されたメッセージを前記表示部に表示させる手段とを備えた制御部とを有する。
【００１４】
本発明の第１の機能起動プログラムは、表示部画面上に表示される画面機能印の他に、前記表示部の周囲を取り巻く筐体部分である枠部に表示した枠機能印を備え、前記画面機能印および前記枠機能印のそれぞれに対応する前記表示部上のエリアを記憶部に記憶している携帯端末装置における機能起動プログラムであって、
確定キーが押下されたかを識別し、押下された場合はポインタの位置を検出する処理、前記ポインタが前記画面機能印に対応したエリアにあるかを前記記憶部を検索して判別する処理、対応したエリアにあった場合に前記画面機能印に対応した機能を起動する処理、定期的に前記ポインタの位置を検出し、前記ポインタが前記枠機能印に対応したエリアにあるかを、前記記憶部を検索して判断する処理、対応したエリアにあった場合に、一定時間内に前記確定キーが押下されたかを判別する処理、一定時間内に前記確定キーが押下されなかった場合に前記枠機能印に対応する機能を起動する処理、をコンピュータに実行させる。
【００１５】
本発明の第２の機能起動プログラムは、表示部画面上に表示される画面機能印の他に、前記表示部の周囲を取り巻く筐体部分である枠部に表示した枠機能印を備え、前記画面機能印および前記枠機能印のそれぞれに対応する前記表示部上のエリアを記憶部に記憶している携帯端末装置における機能起動プログラムであって、
確定キーが押されたかを識別する処理、前記確定キーのみが押下された場合にポインタの位置を検出する処理、前記ポインタが前記画面機能印に対応したエリアにあるかを前記記憶部を検索して判別する処理、対応したエリアにあった場合に前記画面機能印に対応した機能を起動する処理、前記確定キーと他の特定キーとが同時に押下された場合にポインタの位置を検出する処理、前記ポインタが前記枠機能印に対応したエリアにあるかを前記記憶部を検索して判別する処理、対応したエリアにあった場合に前記枠機能印に対応した機能を起動する処理、をコンピュータに実行させる。
【００１６】
本発明の第３の機能起動プログラムは、表示部画面上に表示される画面機能印の他に、前記表示部の周囲を取り巻く筐体部分である枠部に表示した枠機能印を備え、前記画面機能印および前記枠機能印のそれぞれに対応する前記表示部上のエリアを記憶部に記憶している携帯端末装置における機能起動プログラムであって、
確定キーが押されたかを識別する処理、前記確定キーがクリックされた場合にポインタの位置を検出する処理、前記ポインタが前記画面機能印に対応したエリアにあるかを前記記憶部を検索して判別する処理、対応したエリアにあった場合に前記画面機能印に対応した機能を起動する処理、前記確定キーがダブルクリックされた場合にポインタの位置を検出する処理、前記ポインタが前記枠機能印に対応したエリアにあるかを前記記憶部を検索して判別する処理、対応したエリアにあった場合に前記枠機能印に対応した機能を起動する処理、をコンピュータに実行させる。
【００１７】
本発明の第４の機能起動プログラムは、表示部の周囲を取り巻く筐体部分である枠部にＬＥＤを備え、前記ＬＥＤ対応に前記表示部上の予め定められた枠機能印エリアを記憶部に記憶している携帯端末装置における機能起動プログラムであって、
ネットワークを介した相手装置から受信したメッセージをメッセージ格納部に格納する処理、前記メッセージを受信することにより前記ＬＥＤを点灯させる処理、ポインタが前記ＬＥＤの枠機能印エリアに存在し、かつ、前記ＬＥＤが点灯中であった場合に、前記メッセージ格納部に格納されたメッセージを前記表示部に表示させる処理、をコンピュータに実行させる。
【００１８】
【発明の実施の形態】
本発明の実施の形態について図面を参照して詳細に説明する。
【００１９】
本発明の対象である携帯端末装置としては、表示画面サイズがパーソナルコンピュータ等に比べて小さい携帯電話機，ＰＨＳ，ＰＤＡ等の情報処理装置を想定しているが、以下の説明においては携帯電話機を例に説明する。
【００２０】
図１は、本発明の携帯電話機の外観を示す図である。番号を付与していない上側筐体，下側筐体，ヒンジ部，表示部，枠部，入力キー部，ポインティングデバイス等については、通常の携帯電話機と同じであるため、詳細な説明は省略する。なお、本発明の携帯電話機はポインティングデバイスを備えたものであることが前提であるが、表示画面上のポインタを移動させ、該当機能にポインタが合ったときに確定キー押下により機能を指定することができればよく、ポインティングデバイスの種類や形状，構造等には限定されない。例えば、特開平９−１３４２４８号公報におけるスライド式ポインティングデバイスや、特開２００１−１６６３５号公報におけるトラックボール式ポインティングデバイスや、特開２００２−６２９８３号公報，特開平８−１１５１５８号公報における指移動式ポインティングデバイス等、多くの公知技術があるため詳細な説明については省略する。図１においては、ポインティングデバイスはスライド式を想定しており、中心の黒丸部分が確定キーである。
【００２１】
１８は、枠機能印であり、携帯電話機１０の表示部の枠部表面に表示される。ここで、表示部の枠部とは、表示部の周囲を取り巻く筐体部分であると定義して説明する。この枠機能印は各付加機能に対応したものであり、アイコンのような機能の内容を表す絵でもよいし、文字や数字等であってもよい。また、この枠機能印は単なる表示に過ぎず、ボタンやスイッチ等の構造を有するものではない。この枠機能印は、表示部画面上の機能印（例えば、アイコン等で、その機能印をクリックすれば該当機能が起動されるもの。以下、画面機能印と記す）の数に画面サイズからくる制限があるため、この制限に関係なく更に機能を増やすために考えられたものである。枠機能印の機能としては、例えば、ヘルプ機能や、直前画面への戻り機能等が考えられるが、特に限定されず他の機能であっても勿論構わない。また、枠機能印の表示の方法については、枠部表面への印刷や、印刷ラベルの貼付、刻印等、特に限定されず、表示内容がわかるものであればよい。
【００２２】
図２は、本発明の実施の形態の構成を示すブロック図であり、携帯電話機１０は、画面表示を行う液晶ディスプレー等の表示部１１と、年月日や日時を計時する時計部１２と、表示部１１の画面上でポインタを移動制御するポインティングデバイス１３と、ユーザがキー入力をするための入力キー部１４と、表示部１１の画面上の位置情報（座標）と対応する各機能名称，機能印または機能識別番号とが予め登録されている機能・対応座標記憶部１５と、各機能に対応する機能プログラムやデータ等が予め登録されている機能記憶部１６と、全体の制御を行う制御部１７とを備えている。なお、制御部１７は、図示していない記憶手段に記憶された機能起動プログラムにより制御される。
【００２３】
また、機能・対応座標記憶部１５には、表示部１１の画面上に表示されたアイコン等の画面機能印と各機能印が表示される位置（座標で規定されるエリア）とが対応付けて予め記憶されている。また、図１の枠機能印１８に近接する表示部１１の画面上の位置（例えば、図１の表示部１１内の点線で囲まれたエリア）も枠機能印１８に対応して予め記憶されている。なお、画面機能印のエリアと枠機能印１８に対応する画面上のエリアは互いに重なってもよく、同じエリアの画面機能印と枠機能印１８の識別は、制御部１７によりポインティングデバイス１３の操作に基づいて行われる。
【００２４】
次に、本発明の実施の形態の動作について図面を参照して説明する。
【００２５】
最初に、本発明の第１の実施の形態の動作について図１〜図５を参照して説明する。なお、図３は枠機能印の機能を起動したときの画面状態遷移を示す図であり、図４は不必要に起動した枠機能印の機能を終了させるときの画面状態遷移を示す図であり、図５は本発明の第１の実施の形態の動作を示すフローチャートである。
【００２６】
図５を参照すると、まず、制御部１７はポインティングデバイス１３の確定キーが押されたかを識別する（ステップＡ１）。押された場合は、制御部１７はポインタの位置を検出する。この検出にあたっては、ポインタ全体の位置でもよいし、ポインタの矢印の先端部分の位置でもよく、予め設定しておくものとする（ステップＡ２）。次に、ポインタの位置が画面上のいずれかの機能に対応しているかを、制御部１７が機能・対応座標記憶部１５を検索して判断する（ステップＡ３）。ポインタの位置に対応した画面上の機能が登録されていた場合は、制御部１７は機能記憶部１６に記憶された該当機能を起動する（ステップＡ４）。
【００２７】
一方、制御部１７は定期的に（例えば、１秒毎）ポインタの位置を検出し（ステップＡ５）、ポインタが枠機能印１８に対応した画面上の位置にあるかを、機能・対応座標記憶部１５を検索して判断する（ステップＡ６）。制御部１７は、ポインタが枠機能印１８に対応した画面上の位置にあった場合は、一定時間内（例えば、２秒以内）に確定キーが押されたかを、時計部１２とポインティングデバイス１３の確定キー押下状態識別により判断する（ステップＡ７）。一定時間内に確定キーが押された場合は、ステップＡ３に進む。そして、一定時間内に確定キーが押されなかった場合は、制御部１７は機能記憶部１６に記憶された枠機能印１８の機能を起動する（ステップＡ８）。
【００２８】
ここで、ステップＡ５〜Ａ８における画面状態の遷移を図３を参照して説明する。
【００２９】
図３の画面１は、ポインタが枠機能印１８に対応する画面上の位置（例えば、点線で囲まれたエリア）の外にある状態を示している（ステップＡ６のＮＯに相当）。画面２は、ポインタが枠機能印１８に対応する画面上の位置の中にある状態を示している（ステップＡ６のＹＥＳに相当）。画面３は、確定キーが押下されることなく画面２の状態が２秒を越えて維持されたときに、枠機能印１８の機能（図３では、ヘルプ機能）が起動された状態を示している。
【００３０】
引き続き、ステップＡ９〜Ａ１１の動作について説明する。これらの動作は、ポインタに位置を気にせず、枠機能印１８の機能を不必要に起動してしまった場合の機能終了に関する動作である。
【００３１】
ステップＡ８の後、制御部１７は所定時間内（例えば、１０秒以内）に確定キーが押されたかを、時計部１２とポインティングデバイス１３の確定キー押下状態識別により判断する（ステップＡ９）。所定時間内に確定キーが押された場合は、制御部１７はポインタの位置を検出し、ポインタが無効エリアにあるかを識別する。なお、無効エリアとは、枠機能印１８に対応する画面位置の外で、起動された機能画面上の選択処理エリアでもないエリアを意味している。選択処理エリアとは、例えば、画面上でＹＥＳ，ＮＯを選択したり、メニュー画面上で特定アイテムを選択するようなときに、ポインタまたはカーソルにより選択する位置のことである。ポインタが無効エリアにあった場合は、制御部１７は起動されている機能を終了させる（ステップＡ１０，Ａ１１）。
【００３２】
ここで、ステップＡ９〜Ａ１１における画面状態の遷移を図４を参照して説明する。
【００３３】
図４の画面１は、ポインタが枠機能印１８に対応する画面上の位置（例えば、点線で囲まれたエリア）の外にある状態を示している（ステップＡ６のＮＯに相当）。画面２は、ポインタが枠機能印１８に対応する画面上の位置の中にある状態を示している（ステップＡ６のＹＥＳに相当）。画面３は、確定キーが押下されることなく画面２の状態が２秒を越えて維持されたときに、枠機能印１８の機能が起動された状態を示している（ステップＡ８に相当）。このように、枠機能印１８の機能を起動する意図がなくても、画面２の状態を放置しておくと２秒後には自動的に起動されてしまう。このようなときは、ユーザはポインティングデバイス１３を操作してポインタを画面３に示すように無効エリアに移動させ、この状態で確定キーを押下する。そうすると、画面４に示すように機能は終了される。この状態では、ポインタは無効エリアに移動しているため、再度、不必要に起動されることを防止できる。
【００３４】
次に、本発明の第２の実施の形態について説明する。
【００３５】
上述した本発明の第１の実施の形態においては、画面機能印，枠機能印のそれぞれに対応する画面上のエリアを登録しておき、同一エリアが両方の機能印対応に使用されることも考えられるため、確定キーが押下された場合は画面機能印、確定キーが一定時間内に押されなければ枠機能印ということにより、どちらの機能印かを識別するようにした。本実施の形態においては、この識別を、確定キーが１回押下された場合は画面機能印、確定キーが２回押下された場合は枠機能印という方法により行う点が異なっている。
【００３６】
本発明の第２の実施の形態の動作について図６を参照して説明する。なお、図６は本発明の第２の実施の形態の動作を示すフローチャートである。
【００３７】
図６を参照すると、まず、制御部１７は、ポインティングデバイス１３の確定キーが押されたかを識別する（ステップＢ１）。押された場合、制御部１７は押下回数が１回（クリック）か２回（ダブルクリック）かを判別する（ステップＢ２，Ｂ３）。押下回数が１回であった場合は、制御部１７はポインタの位置を検出する（ステップＢ４）。次に、ポインタの位置が画面上のいずれかの機能に対応しているかを、制御部１７が機能・対応座標記憶部１５を検索して判断する（ステップＢ５）。ポインタの位置に対応した画面上の機能が登録されていた場合は、制御部１７は機能記憶部１６に記憶された該当機能を起動する（ステップＢ６）。
【００３８】
一方、確定キーの押下回数が２回であった場合は、制御部１７はポインタの位置を検出し（ステップＢ７）、ポインタが枠機能印１８に対応した画面上の位置にあるかを、機能・対応座標記憶部１５を検索して判断する（ステップＢ８）。制御部１７は、ポインタが枠機能印１８に対応した画面上の位置にあった場合は、機能記憶部１６に記憶された枠機能印１８の機能を起動する（ステップＢ９）。
【００３９】
次に、本発明の第３の実施の形態について説明する。
【００４０】
本実施の形態は、確定キーのみが押下された場合は画面機能印、確定キーと他の特定キーが同時に押下された場合は枠機能印という方法により、画面機能印と枠機能印の識別を行う点が、第１，第２の実施の形態と異なっている点である。
【００４１】
本発明の第３の実施の形態の動作について図７を参照して説明する。なお、図７は本発明の第３の実施の形態の動作を示すフローチャートである。
【００４２】
図７を参照すると、まず、制御部１７は、ポインティングデバイス１３の確定キーが押されたかを識別する（ステップＣ１）。押された場合、制御部１７は他の特定キーと一緒に押下されたかを判別する（ステップＣ２）。確定キーのみの押下であった場合は、制御部１７はポインタの位置を検出する（ステップＣ３）。次に、ポインタの位置が画面上のいずれかの機能に対応しているかを、制御部１７が機能・対応座標記憶部１５を検索して判断する（ステップＣ４）。ポインタの位置に対応した画面上の機能が登録されていた場合は、制御部１７は機能記憶部１６に記憶された該当機能を起動する（ステップＣ５）。
【００４３】
一方、確定キーと特定キーが一緒に押下された場合は、制御部１７はポインタの位置を検出し（ステップＣ６）、ポインタが枠機能印１８に対応した画面上の位置にあるかを、機能・対応座標記憶部１５を検索して判断する（ステップＣ７）。制御部１７は、ポインタが枠機能印１８に対応した画面上の位置にあった場合は、機能記憶部１６に記憶された枠機能印１８の機能を起動する（ステップＣ８）。
【００４４】
次に、本発明の第４の実施の形態について説明する。
【００４５】
本実施の形態は、図８（本発明の第４の実施の形態の携帯電話機の外観を示す図）に示すように、枠機能印としてＬＥＤ１９を用いた点が異なっている。
【００４６】
ＬＥＤは、例えば、ユーザが携帯電話機１０からインターネットを介してホームページ等にアクセスし、Ｗebページを表示時にユーザに伝えたいメッセージがある時や、ネットワークゲームを行っているときに、ゲームに直接関係ない連絡等を相手から送られた場合等に点灯する。こういったメッセージの送受信は公知であるため詳細説明は省略するが、携帯電話機１０は、ＬＥＤ１９と、ネットワークを介した相手装置からメッッセージを受信したときにＬＥＤを点灯させるＬＥＤ点灯制御機能と、受信したメッセージを格納する受信メッセージ格納部とをさらに有し、ＬＥＤ１９の点灯状態でポインタをＬＥＤ１９に対応する画面エリアに移動させることで、受信メッセージ格納部に格納された受信メッセージを表示部１１に表示させる。
【００４７】
以上、本発明の第１〜第４の実施の形態について説明したが、枠機能印１８の数は一つでも複数個でもよく、表示の大きさや内容（絵、文字、数字等）についても任意である。また、図１では上側筐体と下側筐体に分かれた折り畳み式携帯電話機の例を示したが、上側筐体と下側筐体に分かれないで１つの筐体になっている携帯電話機であっても本発明の適用は勿論可能である。
【００４８】
【発明の効果】
本発明は、表示部の枠部に枠機能印を追加し、枠機能印の機能を起動する機能を新たに備えたため、表示部上の機能に限定されず、画面サイズが限定された携帯端末装置において更に多くの機能を簡易に利用することを可能にするという効果が得られる。
【図面の簡単な説明】
【図１】本発明の携帯電話機の外観を示す図である。
【図２】本発明の実施の形態の構成を示すブロック図である。
【図３】枠機能印の機能を起動したときの画面状態遷移を示す図である。
【図４】不必要に起動した枠機能印の機能を終了させるときの画面状態遷移を示す図である。
【図５】本発明の第１の実施の形態の動作を示すフローチャートである。
【図６】本発明の第２の実施の形態の動作を示すフローチャートである。
【図７】本発明の第３の実施の形態の動作を示すフローチャートである。
【図８】本発明の第４の実施の形態の携帯電話機の外観を示す図である。
【符号の説明】
１０    携帯電話機
１１    表示部
１２    時計部
１３    ポインティングデバイス
１４    入力キー部
１５    機能・対応座標記憶部
１６    機能記憶部
１７    制御部
１８    枠機能印
１９    ＬＥＤ
【図１】
2004199270.tif 000003
【図２】
2004199270.tif 000004
【図３】
2004199270.tif 000005
【図４】
2004199270.tif 000006
【図５】
2004199270.tif 000007
【図６】
2004199270.tif 000008
【図７】
2004199270.tif 000009
【図８】
2004199270.tif 000010